(57)【要約】【目的】本発明は火災が発生した場合に、避難する最低限の短時間に於いて、有毒ガスの体内吸入を防止し、火炎の高熱から身体を保護し、且つ視界を確保して人命を救うことを目的とした携帯型の簡易的な非常用ガス吸い込み防止頭巾に関するものである。【構成】気密性、難燃性、耐熱性の素材とした長尺筒状で人の頭部が入る寸法の耐火袋１の中に空気容量確保用の形状保持リング５を長尺筒状と平行に複数有し、耐火袋１のほぼ正面付近に外部を覗くための気密性、難燃性、耐熱性で透明性がある素材の耐火窓３を有し、耐火袋１の開口部を頭部の被り口２とし、その被り口２に開閉作用用の締め紐４を有した主構成で、耐火袋１の外面に夜光品６を貼付し、耐火窓３が汚れた場合に拭くための布巾を装備する場合もある。【選択図】  図１
2004275678.tif 000002
【特許請求の範囲】
【請求項１】
気密性、難燃性、耐熱性の素材で長尺筒状の耐火袋１の中に空気容量確保用の形状保時リング５を有し、耐火袋１のほぼ正面付近に外部周辺を覗くため気密性、難燃性、耐熱性で透明性がある素材の耐火窓３を有し、耐火袋１の開口部を頭部の被り口２とし、その被り口２に開閉作用用の締め紐４を有した基本構成の非常用ガス吸い込み防止頭巾。
【請求項２】
耐火袋１のほぼ正面付近で耐火窓３の下位置に外部からの空気を耐火袋１へ吸入する際に使用する空気吸入器を有した主構成で、空気吸入器は耐火袋１の外部に露出した難燃、耐熱性パイプ状の空気吸入口７とその内部に空気の逆流を防止するための逆止弁８を有して口にて外部空気を吸い込むためのパイプ状の空気吸い込み口９を有し、下方に口からの息を耐火袋１内に排出する長尺パイプ状の空気排出口１０を有した構成の請求項１記載の非常用ガス吸い込み防止頭巾。
【発明の詳細な説明】
【０００１】
【発明の属する技術分野】
化学素材を多用した建築構造物などが林立している今日、火災発生においては有毒ガスが発生し、その体内吸入に起因する死亡が多発している。
【０００２】
本発明は火災が発生した場合に、避難する最低限の短時間に於いて、有毒ガスの体内吸入を防止し、火炎の高熱から身体を保護し、且つ視界を確保して人命を救うことを目的とした携帯型の簡易的な非常用ガス吸い込み防止頭巾に関するものである。
【０００３】
【従来の技術】
従来、火災が発生した場合の人命救助技術としては設備的には火災警報機、スプリングクーラー、ホース放水設備など多岐に整備されているが、あくまでも固定された装置であるし、携帯型としては有毒ガス吸入防止用として防毒マスク等があるが非常に大掛かりで高級、高額でフィルター等の長期保存性に欠けるなどの問題もあり  般用として常備しておく市場性に富んだ携帯型火災対応機器の技術は確立されていなかった。
【０００４】
【発明が解決しようとする課題】
火災発生による死亡の第一原因は建築物等に使われている化学材料等の燃焼により発生する有毒ガスであるといわれている、すなはち火災の発生により避難する時点で煙にまかれて有毒ガスを体内に吸入して死亡に至っていた。
【０００５】
いつ発生するか判らない火災に備えて保管しておく有毒ガス対応保護具が必要であり、安価で即応性がありコンパクトで容易に装着できる携帯型仕様保護具が優位であるが、現実的には開発されていなかった。
【０００６】
【課題を解決するための手段】
いまその課題を解決するための構成で、請求項１と請求項２を図面により説明すれば、
（イ）請求項１においては、気密性、難燃性、耐熱性の素材とした長尺筒状で人の頭部が入る寸法の耐火袋１の中に空気容量確保用の形状保持リング５を長尺筒状と平行に複数有し、耐火袋１のほぼ正面付近に外部を覗くための気密性、難燃性、耐熱性で透明性がある素材の耐火窓３を有し、耐火袋１の開口部を頭部の被り口２とし、その被り口２に開閉作用用の締め紐４を有した主構成で、耐火袋１の外面に夜光品６を貼付し、耐火窓３が汚れた場合に拭くための布巾を装備する場合もある。
（ロ）請求項２においては、耐火袋１のほぼ正面付近で耐火窓３の下位置に外部からの空気を耐火袋１へ吸入する際に使用する空気吸入器を有した構成で、空気吸入器は耐火袋１の外部正面に気密状態で露出したパイプ状の空気吸入口７とその内部に空気の逆流を防止するための逆止弁８を有して口にて外部の空気を吸い込むためのパイプ状の空気吸い込み口９を有し、下部に口からの息を耐火袋１内に排出する長尺パイプ状の空気排出口１０を有した構成である。
【０００７】
【作  用】
次に本発明の作用の一例を述べると、
（イ）火災発生の際の救命用として、本発明の非常用ガス吸い込み防止頭巾を救命用具容器等に入れて寝室などに常備保管しておきます。
（ロ）火災が発生した場合には救命用具容器等から非常用ガス吸い込み防止頭巾を取り出します。
（ハ）耐火袋１の被り口２を拡げで空気を一杯耐火袋１内に入れてから頭部に被り、耐火窓３が目の位置にくるように調整します。
（ニ）首部の締め紐４を締めて有毒ガスが入るのを防止します。
（ホ）耐火袋１は気密性に優れているため外部からの有毒ガスの侵入を防止すると共に長尺筒状の耐火袋１内の形状保持リング５により筒状の形状を保持して空気容量を確保して避難に要する短時間での呼吸を可能としますし、耐熱性の耐火袋１により頭部を火炎などから保護し、且つ耐火窓３により視界を確保することができるため避難を可能とする作用である。
（ヘ）耐火袋１を頭部に被った状態で外部に有毒ガスが発生していない場合においては空気吸入器の空気吸い込み口９を口に当てて呼吸することにより耐火袋１の外側に設けた空気吸入口７から逆止弁８を通って体内に外部の空気を吸入する作用であるし、体内からの排出は空気排出口１０により耐火袋１内に排出される作用である。
（ト）本非常用ガス吸い込み防止頭巾の構成的作用の特徴は構造が長尺筒状であるため呼吸した場合の汚れた炭酸ガスは下部に溜まり呼吸位置が汚染される迄にはある程度の時間が必要であるし、非常用ガス吸い込み防止頭巾内の呼吸圧により外部からの有毒ガスを入りにくくする作用である。
【０００８】
【発明の実施の形態】
具体実施例を述べる、
（イ）空気吸入器を耐火袋１の後面側で耐火窓３の下方に有する。
（ロ）長尺筒状の耐火袋１の寸法を直径約三十センチ、深さ約一メートルとした場合の体験実験結果の呼吸可能限界時間は約二十分であった。
（ハ）耐火袋１の形状を肩まで覆う構成として安全性を高める。
（ニ）耐火袋１の素材を防炎加工した布地とする。
（ホ）耐火袋１に前側、後ろ側などの文字を明記する。
（ヘ）耐火袋１を縦に長い単純な長方形状の袋として製造費を低減する。
（ト）耐火窓３に曇り止め加工を施し視界を向上させる。
（チ）耐火袋１に開閉栓の付いた通気管を設けて、且つ本通気管と連結可能とする通気管を有した小型の赤ちゃん用の耐火袋１と組み合わせた親子用の構成とする。
（リ）耐火袋１の裏側に開閉栓の付いた吸入パイプを有し、本非常用ガス吸い込み防止頭巾を保有しない人へ吸入パイプをくわえさせて耐火袋１内の空気を共有する構成とする。
【０００９】
【発明の効果】
本発明の非常用ガス吸い込み防止頭巾を火災に備えて寝室などに常備しておくと、火災が発生した場合には速やかに本非常用ガス吸い込み防止頭巾を取り出して頭部から被ることにより十分から二十分程度の避難に必要な限定された短時間において有毒ガスを体内に吸入することもなく、視界も耐火窓３により確保できるし、非常用ガス吸い込み防止頭巾の素材は難燃性、耐熱性であるため短時間であれば火炎からの保護も可能であり、有毒ガスや火炎から身体を保護して避難を可能にするものであり、特に火災発生後数分の逃避時間があれば救済の確率は大幅に向上するため、大切な生命を守る画期的な発明であります。
【００１０】
また本発明は呼吸圧と排気炭酸ガスの特徴を応用したシンプル構成であるため火災に備え保管する場合には場所もとらず容易に常備することができますし、低額での製作と購入を可能とするもので市場性も高く、多くの人達の生命を救済すると共に、本非常用ガス吸い込み防止頭巾を常備しておくことによる精神的安心感は明るく楽しい社会づくりに大きく貢献するものであります。
【図面の簡単説明】
【図１】本発明の非常用ガス吸い込み防止頭巾の斜視図
【図２】本発明の非常用ガス吸い込み防止頭巾の空気吸入器を有した状態の斜視図
【図３】本発明の非常用ガス吸い込み防止頭巾の空気吸入器を正面部に有し装着した状態の斜視図
【図４】本発明の非常用ガス吸い込み防止頭巾の空気吸入器を後面部に有し装着した状態の斜視図
【図５】本発明の非常用ガス吸い込み防止頭巾の空気吸入器の詳細斜視図
【符号の説明】
１は耐火袋                ２は被り口
３は耐火窓                ４は締め紐
５は形状保持リング        ６は夜光品
７は空気吸入口            ８は逆止弁
９は空気吸い込み口      １０は空気排出口
【図１】
2004275678.tif 000003
【図２】
2004275678.tif 000004
【図３】
2004275678.tif 000005
【図４】
2004275678.tif 000006
【図５】
2004275678.tif 000007